(57)【要約】【課題】キャリッジの定速移動中及び加減速中のいずれにおいてもインクを噴射して縁なし印刷を行う場合に、画質のムラを極力目立ちにくくする。【解決手段】加減速領域Ｔ１と定速領域Ｔ２との境界Ｂ１が、縁領域Ｕ１と内側領域Ｕ２との境界Ｂ２よりも走査方向の内側に位置している場合には、記録用紙Ｐの走査方向の端Ｅから境界Ｂ１までの領域Ｒ１１への画像の記録を行う際に、ブラックの顔料インク及びカラーの染料インクのうちカラーの染料インクのみを噴射可能とするとともに、大玉、中玉及び小玉のうち、大玉及び中玉のみを噴射可能とし、インクの噴射タイミングにディレイ時間を設定する。また、境界Ｂ１よりも内側の領域Ｒ１２への画像の記録を行う際に、ブラックの顔料インク及びカラーの染料インクの両方を噴射可能とするとともに、大玉、中玉及び小玉のいずれをも噴射可能とし、インクの噴射タイミングにディレイ時間を設定しない。【選択図】図５
2015193147.tif 000002
【特許請求の範囲】
【請求項１】
所定の走査方向に移動可能に構成されたキャリッジと、
前記キャリッジに搭載され、ノズルからインクを噴射可能に構成されたインクジェットヘッドと、
前記キャリッジ及び前記インクジェットヘッドの動作を制御する制御部と、を備え、
前記キャリッジの加速中にドットが形成される被記録媒体の領域である加速領域と前記キャリッジの定速移動中にドットが形成される前記被記録媒体の領域である定速領域との境界である第１境界が、前記走査方向における前記被記録媒体の一端側に位置する縁領域と前記縁領域よりも前記走査方向の内側に位置する内側領域との境界である第２境界よりも前記走査方向の内側に位置している場合に、
前記制御部は、
前記被記録媒体の前記一端側の端部から前記第１境界までの領域に対して、第１の記録条件で前記インクジェットヘッドに画像の記録を行わせ、
前記被記録媒体の前記第１境界よりも内側の領域に対して、前記第１の記録条件とは異なる第２の記録条件で前記インクジェットヘッドに画像の記録を行わせることを特徴とするインクジェットプリンタ。
【請求項２】
前記第１境界が前記第２境界よりも、前記走査方向の外側に位置している場合に、
前記制御部は、
前記被記録媒体の前記一端側の端部から前記第１境界までの領域に対して、前記第１の記録条件で前記インクジェットヘッドに画像の記録を行わせ、
前記被記録媒体の前記第１境界から前記第２境界までの領域に対して、前記第１の記録条件及び前記第２の記録条件のいずれとも異なる第３の記録条件で前記インクジェットヘッドに画像の記録を行わせ、
前記被記録媒体の前記第２境界よりも内側の領域に対して、前記第２の記録条件で前記インクジェットヘッドに画像の記録を行わせることを特徴とする請求項１に記載のインクジェットプリンタ。
【請求項３】
前記被記録媒体として、普通紙と光沢紙のうちいずれかを選択的に使用可能であり、
前記第１境界が前記第２境界よりも前記走査方向の内側に位置しており、且つ、前記被記録媒体が光沢紙である場合に、
前記制御部は、
前記被記録媒体の前記一端側の端部から前記第１境界までの領域に対して、前記第１の記録条件で前記インクジェットヘッドに画像の記録を行わせ、
前記被記録媒体の前記第１境界よりも内側の領域に対して、前記第２の記録条件で前記インクジェットヘッドに画像の記録を行わせ、
前記第１境界が前記第２境界よりも前記走査方向の内側に位置しており、且つ、前記被記録媒体が普通紙である場合に、
前記制御装置は、
前記被記録媒体の前記一端側の端部から前記第２境界までの領域に対して、前記第１の記録条件で前記インクジェットヘッドに画像の記録を行わせ、
前記被記録媒体の前記第２境界から前記第１境界までの領域に対して、前記第１の記録条件及び前記第２の記録条件のいずれとも異なる第４の記録条件で前記インクジェットヘッドに画像の記録を行わせ、
前記被記録媒体の前記第１境界よりも内側の領域に対して、前記第２の記録条件で前記インクジェットヘッドに画像の記録を行わせることを特徴とする請求項１又は２に記載のインクジェットプリンタ。
【請求項４】
前記第１境界が前記第２境界よりも前記走査方向の内側に位置しており、且つ、所定の第１印字デューティで画像の記録を行う場合に、
前記制御部は、
前記被記録媒体の前記一端側の端部から前記第１境界までの領域に対して、前記第１の記録条件で前記インクジェットヘッドに画像の記録を行わせ、
前記被記録媒体の前記第１境界よりも内側の領域に対して、前記第２の記録条件で前記インクジェットヘッドに画像の記録を行わせ、
前記第１境界が前記第２境界よりも前記走査方向の内側に位置しており、且つ、前記第１印字デューティよりも低い第２印字デューティで画像の記録を行う場合に、
前記制御装置は、
前記被記録媒体の前記一端側の端部から前記第２境界までの領域に対して、前記第１の記録条件で前記インクジェットヘッドに画像の記録を行わせ、
前記被記録媒体の前記第２境界から前記第１境界までの領域に対して、前記第１の記録条件及び前記第２の記録条件のいずれとも異なる第４の記録条件で前記インクジェットヘッドに画像の記録を行わせ、
前記被記録媒体の前記第１境界よりも内側の領域に対して、前記第２の記録条件で前記インクジェットヘッドに画像の記録を行わせることを特徴とする請求項１又は２に記載のインクジェットプリンタ。
【請求項５】
前記縁領域は、
被記録媒体の外縁部の全周にわたって延びた領域であり、
前記走査方向の両端部に位置する部分の走査方向の長さが、前記走査方向と直交する方向における両端部に位置する部分の、前記走査方向と直交する方向の長さと同じであることを特徴とする請求項１〜４のいずれかに記載の記録装置。
【請求項６】
前記被記録媒体が、前記加速領域と前記定速領域のうち、前記定速領域のみを有している場合に、
前記制御部は、
前記被記録媒体の前記一端側の端部から前記第２境界までの領域に対して、前記第１の記録条件及び前記第２の記録条件のいずれとも異なる第３の記録条件で前記インクジェットヘッドに画像の記録を行わせ、
前記被記録媒体の前記第２境界よりも内側の領域に対して、前記第２の記録条件で前記インクジェットヘッドに画像の記録を行わせ、
前記被記録媒体が前記加速領域と前記定速領域とを有している場合の、前記縁領域の前記走査方向の長さは、前記被記録媒体が前記加速領域と前記定速領域のうち前記定速領域のみを有している場合の、前記縁領域の前記走査方向の長さと同じ長さであることを特徴とする請求項１〜４のいずれかに記載の記録装置。
【請求項７】
前記インクジェットヘッドは、
顔料インクと染料インクとを噴射可能なものであり、
前記第１の記録条件は、前記顔料インク及び染料インクのうち、前記染料インクのみを使用可能にするという条件を含み、
前記第２の記録条件は、前記顔料インク及び前記染料インクのいずれをも使用可能にするという条件を含むことを特徴とする請求項１〜６のいずれかに記載の記録装置。
【請求項８】
前記インクジェットヘッドは、
前記ノズルから所定の体積を大インク滴と、前記大インク滴よりも体積の小さい小インク滴のいずれかを選択的に噴射可能なものであり、
前記第１の記録条件は、前記大インク滴及び前記小インク滴のうち、小インク滴のみを使用可能にするという条件を含み、
前記第２の記録条件は、前記大インク滴及び小インク滴のいずれをも使用可能にするという条件を含むことを特徴とする請求項１〜７のいずれかに記載の記録装置。
【請求項９】
所定の走査方向に移動可能に構成されたキャリッジと、
前記キャリッジに搭載され、ノズルからインクを噴射可能に構成されたインクジェットヘッドと、
前記キャリッジ及び前記インクジェットヘッドの動作を制御する制御部と、を備え、
前記キャリッジの減速中にドットが形成される被記録媒体の領域である減速領域と前記キャリッジの定速移動中にドットが形成される前記被記録媒体の領域である定速領域との境界である第１境界が、前記走査方向における前記被記録媒体の一端側に位置する縁領域と前記縁領域よりも前記走査方向の内側に位置する内側領域との境界である第２境界よりも前記走査方向の内側に位置している場合に、
前記制御部は、
前記被記録媒体の前記一端側の端部から前記第１境界までの領域に対して、第１の記録条件で前記インクジェットヘッドに画像の記録を行わせ、
前記被記録媒体の前記第１境界よりも内側の領域に対して、前記第１の記録条件とは異なる第２の記録条件で前記インクジェットヘッドに画像の記録を行わせることを特徴とするインクジェットプリンタ。
【発明の詳細な説明】
【技術分野】
【０００１】
本発明は、ノズルからインクを噴射することによって画像の記録を行うインクジェットプリンタに関する。
【背景技術】
【０００２】
特許文献１、２には、ノズルからインクを噴射することによって被記録媒体に画像の記録を行うインクジェットプリンタが記載されている。また、特許文献１には、縁なし印刷を行う場合に、縁の近傍において、画質を高めるための処理を施すことが記載されている。一方、特許文献２には、キャリッジの定速移動時、及び、キャリッジの加速又は減速時のいずれにおいてもインクを噴射して画像の記録を行う場合に、キャリッジの加速及び減速中において、キャリッジの移動速度に応じてインクの噴射タイミングを遅らせることが記載されている。
【先行技術文献】
【特許文献】
【０００３】
【特許文献１】特開２００９−１８４９５号公報
【特許文献２】特開２０１１−２３０３３６号公報
【発明の概要】
【発明が解決しようとする課題】
【０００４】
ここで、特許文献２に記載されているように、キャリッジの定速移動時、及び、キャリッジが加速又は減速時のいずれにおいてもインクを噴射することによって画像の記録を行うインクジェットプリンタを用いて、特許文献１に記載されているような縁なし印刷を行うことが考えられる。
【０００５】
一方、特許文献１に記載されているように、縁なし印刷を行う場合に、縁の近傍において画質を高めるための処理を施した場合、記録された画像は、縁の近傍の領域と、これよりも内側の領域とで、記録を行うための処理が異なるため、これら２つの領域の境界において画質が変化する
【０００６】
また、特許文献２に記載されているように、キャリッジの定速移動時、及び、キャリッジの加速又は減速時のいずれにおいてもインクを噴射する場合には、キャリッジの定速移動時と、キャリッジの加速又は減速時とで、噴射されたインクの飛翔方向が異なり、被記録媒体へのインクの入射角度が異なる。そのため、記録された画像では、キャリッジの定速移動時に噴射されたインクによってドットが形成された領域と、キャリッジの加速又は減速時に噴射されたインクによってドットが形成された領域との境界において画質が変化する。
【０００７】
そして、特許文献２に記載されているように、キャリッジの定速移動時、及び、キャリッジの加速又は減速時のいずれにおいてもインクを噴射することによって画像の記録を行うインクジェットプリンタを用いて、特許文献１に記載されているような縁なし印刷を行う場合には、記録された画像において、上記２種類の境界において画質が変化することになる。このとき、上記２種類の境界の位置は、通常、いずれも被記録媒体の搬送方向の縁に近い位置に位置しているため、記録された画像においては、近接した２か所において画質が変化することになり、画質のムラが目立ってしまう。
【０００８】
本発明の目的は、キャリッジの定速移動時、及び、キャリッジの加速又は減速時とのいずれにおいてもインクを噴射して、縁なし印刷を行う場合に、記録された画像の画質のムラを極力目立ちにくくすることが可能なインクジェットプリンタを提供することである。
【課題を解決するための手段】
【０００９】
本発明に係るインクジェットプリンタは、所定の走査方向に移動可能に構成されたキャリッジと、前記キャリッジに搭載され、ノズルからインクを噴射可能に構成されたインクジェットヘッドと、前記キャリッジ及び前記インクジェットヘッドの動作を制御する制御部と、を備え、前記キャリッジの加速中にドットが形成される被記録媒体の領域である加速領域と前記キャリッジの定速移動中にドットが形成される前記被記録媒体の領域である定速領域との境界である第１境界が、前記走査方向における前記被記録媒体の一端側に位置する縁領域と前記縁領域よりも前記走査方向の内側に位置する内側領域との境界である第２境界よりも前記走査方向の内側に位置している場合に、前記制御部は、前記被記録媒体の前記一端側の端部から前記第１境界までの領域に対して、第１の記録条件で前記インクジェットヘッドに画像の記録を行わせ、前記被記録媒体の前記第１境界よりも内側の領域に対して、前記第１の記録条件とは異なる第２の記録条件で前記インクジェットヘッドに画像の記録を行わせる。
【００１０】
また、本発明に係るインクジェットプリンタは、所定の走査方向に移動可能に構成されたキャリッジと、前記キャリッジに搭載され、ノズルからインクを噴射可能に構成されたインクジェットヘッドと、前記キャリッジ及び前記インクジェットヘッドの動作を制御する制御部と、を備え、前記キャリッジの減速中にドットが形成される被記録媒体の領域である減速領域と前記キャリッジの定速移動中にドットが形成される前記被記録媒体の領域である定速領域との境界である第１境界が、前記走査方向における前記被記録媒体の一端側に位置する縁領域と前記縁領域よりも前記走査方向の内側に位置する内側領域との境界である第２境界よりも前記走査方向の内側に位置している場合に、前記制御部は、前記被記録媒体の前記一端側の端部から前記第１境界までの領域に対して、第１の記録条件で前記インクジェットヘッドに画像の記録を行わせ、前記被記録媒体の前記第１境界よりも内側の領域に対して、前記第１の記録条件とは異なる第２の記録条件で前記インクジェットヘッドに画像の記録を行わせる。
【発明の効果】
【００１１】
加速領域又は減速領域と、定速領域との境界である第１境界が、縁領域と内側領域との境界である第２境界よりも内側に位置している場合に、本発明とは異なり、被記録媒体の一端側の端部から第２境界までの領域、第２境界から第１境界までの領域、及び、第１境界よりも内側の領域、の３つの領域間で、インクジェットヘッドの記録条件を異ならせると、記録された画像では、互いに近接する第１、第２境界の２か所において、記録条件の違いによって画質が変化する。そのため、記録された画像における画質のムラが目立ってしまう。
【００１２】
これに対して、本発明では、第１境界が第２境界よりも内側に位置している場合に、被記録媒体の一端側の端部から第１境界までの領域、及び、第１境界よりも内側の領域、の２つの領域の間でのみインクジェットヘッドの記録条件を異ならせているため、記録された画像では、第１境界の１か所においてのみ、記録条件の違いによって画質が変化する。これにより、記録された画像の、記録条件の違いによる画質のムラを目立ちにくくすることができる。また、被記録媒体の一端側の端部から第１境界までの領域に対して、第１の記録条件でインクジェットヘッドに画像の記録を行わせれば、被記録媒体の縁領域に対して第１の記録条件でインクジェットヘッドに画像の記録を行わせることになるため、第１の記録条件を適切に設定することにより、被記録媒体を支持する部材などにインクが付着しにくくすることができる。
【図面の簡単な説明】
【００１３】
【図１】本発明の実施の形態に係るプリンタの概略構成図である。
【図２】プリンタのハードウェア構成を示すブロック図である。
【図３】（ａ）が記録用紙における加減速領域及び定速領域を示す図であり、（ｂ）が記録用紙における縁領域及び内側領域を示す図である。
【図４】画像の記録時におけるプリンタ１の処理を説明するためのフローチャートである。
【図５】（ａ）が加減速領域と定速領域との境界が、縁領域と内側領域との境界よりも内側に位置し、且つ、記録用紙が光沢紙である場合のデータ変換を説明するための図であり、（ａ）が加減速領域と定速領域との境界が、縁領域と内側領域との境界よりも内側に位置し、且つ、記録用紙が普通紙である場合のデータ変換を説明するための図である。
【図６】（ａ）が加減速領域と定速領域との境界が、縁領域と内側領域との境界よりも外側に位置している場合のデータ変換を説明するための図であり、（ｂ）が加減速領域がない場合のデータ変換を説明するための図である。
【図７】（ａ）が加減速領域と定速領域との境界が、縁領域と内側領域との境界よりも内側に位置し、且つ、記録用紙が光沢紙である場合の各領域の記録条件を示す表であり、（ｂ）が加減速領域と定速領域との境界が、縁領域と内側領域との境界よりも内側に位置し、且つ、記録用紙が普通紙である場合の各領域の記録条件を示す表であり、（ｃ）が加減速領域と定速領域との境界が、縁領域と内側領域との境界よりも外側に位置する場合の各領域の記録条件を示す表であり、（ｄ）が加減速領域がない場合の各領域の記録条件を示す表である。
【発明を実施するための形態】
【００１４】
以下、本発明の好適な実施の形態について説明する。
【００１５】
＜プリンタの概略構成＞
図１に示すように、本実施の形態に係るプリンタ１は、プラテン２、キャリッジ３、インクジェットヘッド４、搬送ローラ５等を備えている。プラテン２は、記録用紙Ｐを下方から支持するためのものである。キャリッジ３は、プラテン２の上面と対向するように配置され、走査方向に延びた２本のガイドレール１１に支持されている。キャリッジ３は、キャリッジモータ５１（図２参照）に駆動されることによって、２本のガイドレール１１に沿って走査方向に移動する。なお、以下では、図１に示すように走査方向の右側及び左側を定義して説明を行う。
【００１６】
インクジェットヘッド４は、キャリッジ３に搭載され、その下面に形成された複数のノズル１０からインクを噴射する。複数のノズル１０は、走査方向と直交する搬送方向に配列されることによってノズル列９を形成しており、インクジェットヘッド４は、走査方向に配列された４つのノズル列９を有している。そして、最も右側のノズル列９を形成する複数のノズル１０からは、ブラックの顔料インクが噴射される。また、左側３つのノズル列９を形成する複数のノズル１０からは、右側に配置されているものから順に、イエロー、シアン、マゼンタの染料インクが噴射される。また、インクジェットヘッド３は、各ノズル１０から、それぞれ、大玉、中玉、小玉の３種類のインク滴のいずれかを選択的に噴射させることができるように構成されている。ここで、大玉、中玉、小玉は、この順に体積が大きくなっている。
【００１７】
搬送ローラ５は、搬送方向におけるキャリッジ２の両側に配置され、搬送モータ５２（図２参照）に駆動されることによって、記録用紙Ｐを搬送方向に搬送する。
【００１８】
＜プリンタのハードウェア構成＞
次に、プリンタ１のハードウェア構成について説明する。図２に示すように、プリンタ１は、上述した構成の他、制御装置５０を備えている。制御装置５０は、ＣＰＵ（Central Processing Unit）、ＲＯＭ（Read Only Memory）、ＲＡＭ（Random Access Memory）、ＡＳＩＣ（Application Specific Integrated Circuit）などからなり、インクジェットヘッド４、キャリッジモータ５１及び搬送モータ５２の動作の制御など、プリンタ１の動作に必要な制御を行う。
【００１９】
なお、制御装置５０は、ＣＰＵを１つだけ備え、この１つのＣＰＵが一括して処理を行うものであってもよいし、ＣＰＵを複数備え、これら複数のＣＰＵが分担して処理を行うものであってもよい。また、制御装置５０は、ＡＳＩＣを１つだけ備え、この１つのＡＳＩＣが一括して処理を行うものであってもよいし、ＡＳＩＣを複数備え、これら複数のＡＳＩＣが分担して処理を行うものであってもよい、
【００２０】
そして、上述したような構成を有するプリンタ１では、制御装置５０の制御により、搬送ローラ５によって記録用紙Ｐを搬送方向に搬送させながら、キャリッジ３を走査方向に往復移動させつつ、インクジェットヘッド４からインクを噴射させることによって、記録用紙Ｐに画像の記録を行う。
【００２１】
＜プリンタを用いた画像の記録＞
次に、プリンタ１を用いた記録用紙Ｐへの画像の記録について詳細に説明する。プリンタ１では、上述したようにキャリッジ３を走査方向に往復移動させる場合に、走査方向における、キャリッジ３の移動範囲の両端部において、キャリッジ３を加速又は減速させ、キャリッジ３の移動範囲の上記両端部よりも内側の部分において、キャリッジ３を定速度移動させる。
【００２２】
このとき、例えば、記録用紙ＰがＡ４サイズ等比較的大きいサイズのものである場合や、定速移動時のキャリッジ３の速度が速く、加速及び減速時のキャリッジ３の移動距離が長い場合等には、図３（ａ）に示すように、インクジェットヘッド４が記録用紙Ｐの走査方向における両端部に位置する加減速領域Ｔ１に、キャリッジ３が加速又は減速しているときにノズル１０から噴射されたインクによってドットが形成される。また、記録用紙Ｐの走査方向における上記加減速領域Ｔ１よりも内側に位置する定速領域Ｔ２に、キャリッジ３が定速移動しているときにノズル１０から噴射されたインクによってドットが形成される。すなわち、記録用紙Ｐに加減速領域Ｔ１と定速領域Ｔ２の両方が存在する。また、このとき、記録用紙Ｐにおける加減速領域Ｔ１及び定速領域Ｔ２の位置は、記録用紙Ｐのサイズや定速移動時のキャリッジ３の速度等によって変わってくる。
【００２３】
一方、記録用紙Ｐがはがきサイズなど比較的小さいサイズのものである場合や、定速移動時のキャリッジ３の速度が遅く、加速及び減速時のキャリッジ３の移動距離が短い場合等には、記録用紙Ｐ全体が、走査方向において、キャリッジ３が加速及び減速される位置よりも内側に位置する。そのため、記録用紙Ｐのどの領域にも、キャリッジ３が定速移動しているときにノズル１０から噴射されたインクによってドットが形成される。すなわち、記録用紙Ｐ全体が定速領域Ｔ２となり、記録用紙Ｐに加減速領域Ｔ１が存在しない。
【００２４】
また、プリンタ１においては、図３（ｂ）に示すように、記録用紙Ｐの外縁部を全周にわたって取り囲む縁領域Ｕ１と、縁領域Ｕ１よりも内側の内側領域Ｕ２とにまたがって画像の記録を行う、いわゆる縁なし印刷を行うことがある。ここで、縁領域Ｕ１の記録用紙Ｐの走査方向における両端部に位置する部分の走査方向の長さＬ１は、縁領域Ｕ１の記録用紙Ｐの搬送方向における両端部に位置する部分の走査方向の長さＬ２と同じ長さとなっている。
【００２５】
ここで、上述したように、加減速領域Ｔ１及び定速領域Ｔ２の位置は、記録用紙Ｐのサイズ、キャリッジ３の移動速度等によって個別に決まるものであるため、記録用紙Ｐのサイズや、定速移動時のキャリッジ３の速度等変えて、画像の記録を行ったときには、加減速領域Ｔ１と定速領域Ｔ２との境界Ｂ１の位置が変わり、これにより、境界Ｂ１と、縁領域Ｕ１と内側領域Ｕ２との境界Ｂ２との位置関係が変わる場合がある。
【００２６】
そこで、プリンタ１では、境界Ｂ１と境界Ｂ２との位置関係等に応じて、以下に説明するようにして記録用紙Ｐに画像の記録を行う。プリンタ１において画像の記録を行うためには、図４に示すように、プリンタ１に接続された図示しないＰＣ等から送信された記録指令データを取得する（ステップＳ１０１）。なお、以下では、「ステップＳ１０１」を単に「Ｓ１０１」とするなど、「ステップ」を省略する。
【００２７】
ここで、記録指令データは、記録される画像の情報や、記録設定の情報等を含むデータである。また、記録される画像の情報には、画像を形成する各画素についてのＫ（ブラック）、Ｙ（イエロー）、Ｃ（シアン）、Ｍ（マゼンタ）それぞれの階調値の情報等が含まれている。ここで、記録指令データにおける各画素についての階調値は、例えば、０〜２５５の２５６段階である。また、記録設定の情報には、例えば、縁なし印刷を行うか否かの情報、記録用紙Ｐのサイズの情報、記録用紙Ｐが普通紙及び光沢紙のいずれであるかの情報等が含まれている。
【００２８】
なお、ここでは、記録指令データに、各画素についてのＫ、Ｙ、Ｃ、Ｍの階調値の情報が含まれているものとして説明したが、記録指令データに、各画素についてのＲ（Ｒｅｄ）、Ｇ（Ｇｒｅｅｎ）、Ｂ（Ｂｌｕｅ）それぞれの階調値の情報が含まれていてもよい。ただし、この場合には、Ｓ１０１で記録指令データを取得する際に、Ｒ、Ｇ、Ｂの３つの階調値を、Ｋ、Ｙ、Ｃ、Ｍの４つの階調値に変換する必要がある。
【００２９】
次に、Ｓ１０１で取得した記録指令データに基づいて、縁なし印刷を行うか否か、すなわち、縁領域Ｕ１に画像の記録を行うか否かを判定する（Ｓ１０２）。そして、縁領域Ｕ１への画像の記録を行わない場合には（Ｓ１０２：ＮＯ）、内側領域Ｕ２にのみ画像の記録を行うための処理に進む。ただし、この処理については、従来と同様であるので、ここでは説明を省略する。
【００３０】
縁なし印刷を行う場合には（Ｓ１０２：ＹＥＳ）、続いて、記録用紙Ｐに加減速領域Ｔ１が存在するか否かを判定する（Ｓ１０３）。記録用紙Ｐに加減速領域Ｔ１が存在する場合には（Ｓ１０３：ＹＥＳ）、さらに、境界Ｂ１が境界Ｂ２よりも走査方向の内側に位置しているか否かを判定する（Ｓ１０４）。境界Ｂ１が境界Ｂ２よりも走査方向の内側に位置している場合には（Ｓ１０４：ＹＥＳ）、さらに、記録用紙Ｐが光沢紙であるか否かを判定する（Ｓ１０５）。
【００３１】
記録用紙Ｐに加減速領域Ｔ１が存在し（Ｓ１０３：ＹＥＳ）、且つ、境界Ｂ１が境界Ｂ２よりも走査方向の内側に位置し（Ｓ１０４：ＹＥＳ）、且つ、記録用紙Ｐが光沢紙である場合には（Ｓ１０５：ＹＥＳ）、Ｓ１０１で取得した記録指令データを、第１データ変換によって記録用データに変換する（Ｓ１０６）。記録用データ及び第１データ変換については後ほど詳細に説明する。
【００３２】
また、記録用紙Ｐに加減速領域Ｔ１が存在し（Ｓ１０３：ＹＥＳ）、且つ、境界Ｂ１が境界Ｂ２よりも走査方向の内側に位置するが（Ｓ１０４：ＹＥＳ）、記録用紙Ｐが普通紙である場合には（Ｓ１０５：ＮＯ）、Ｓ１０１で取得した記録指令データを、第２データ変換によって記録用データに変換する（Ｓ１０７）。第２データ変換については後ほど詳細に説明する。
【００３３】
また、記録用紙Ｐに加減速領域Ｔ１が存在するが（Ｓ１０３：ＹＥＳ）、境界Ｂ１が境界Ｂ２よりも走査方向の外側に位置する場合には（Ｓ１０４：ＮＯ）、Ｓ１０１で取得した記録指令データを、第３データ変換によって記録用データに変換する（Ｓ１０８）。第３データ変換については後ほど詳細に説明する。
【００３４】
また、記録用紙Ｐに加減速領域Ｔ１が存在しない場合には（Ｓ１０３：ＮＯ）、Ｓ１０１で取得した記録指令データを、第４データ変換によって記録用データに変換する（Ｓ１０９）。第４データ変換については後ほど詳細に説明する。
【００３５】
そして、Ｓ１０６〜Ｓ１０９のいずれかのデータ変換によって生成された記録用データに基づいてキャリッジ３、インクジェットヘッド４、搬送ローラ５等を制御することによって、記録用紙Ｐへの画像の記録を行う（Ｓ１１０）。
【００３６】
ここで、記録用データについて説明する。記録用データは、記録される画像を構成する各画素についてのＫ、Ｙ、Ｃ、Ｍのそれぞれの階調値を含むデータである。また、記録用データにおける各画素についての階調値は、大玉によって形成される大ドット、中玉によって形成される中ドット、小玉によって形成される小ドット、及び、ドット無しの４段階である。
【００３７】
＜第１〜第４データ変換＞
次に、第１〜第４データ変換について説明する。記録指令データにおける各画素についての階調値は、上述の通り２５６段階である。これに対して、記録用データにおける各画素についての階調値は、上述の通り４段階である。そこで、第１〜第４データ変換では、Ｋ、Ｙ、Ｃ、Ｍについての上記２５６段階の階調値Ｘａを、それぞれ、上記４段階の階調値Ｘｂに変換する、いわゆるハーフトーン処理を行う。なお、以下では、上記４段階の階調において、ドット無しの場合の階調値Ｘｂを「０」、小ドットの場合の階調値Ｘｂを「１」、中ドットの場合の階調値Ｘｂを「２」、大ドットの場合の階調値Ｘｂを「３」として説明を行う。
【００３８】
また、第１〜第４データ変換では、各画素に対してノズル１０からのインクの噴射タイミングの、基準タイミングに対するディレイ時間を設定する。ここで、基準タイミングとは、キャリッジ３が定速で移動している場合のノズル１０からのインクの噴射タイミングのことである。
【００３９】
ただし、第１〜第４データ変換では、階調値の変換の仕方、及び、ディレイ時間の設定の仕方が異なる。そこで、以下では、第１〜第４データ変換における階調値の変換の仕方、及び、ディレイ時間の設定の仕方について説明する。
【００４０】
（第１データ変換）
第１データ変換における階調値の変換について説明すると、第１データ変換では、閾値Ｖ１、Ｖ２を、０＜Ｖ１＜Ｖ２＜２５５となるように決め、図５（ａ）に示すように、記録用紙Ｐの端から境界Ｂ１までの領域Ｒ１１に対応する画素については、階調値Ｘａが０≦Ｘａ＜Ｖ１である場合に、階調値Ｘｂを「０」とする。また、階調値ＸａがＶ１≦Ｘａ＜Ｖ２である場合に、階調値Ｘｂを「２」とする。また、階調値ＸａがＶ２≦Ｘａ≦２５５である場合に階調値Ｘｂを「３」とする。
【００４１】
さらに、ブラックの階調値Ｘｂを、イエロー、シアン、マゼンタ３つの階調値Ｘｂに置き換える。具体的には、ブラックの階調値Ｘｂが「０」の場合には、階調値Ｘｂが「０」のイエロー、シアン、マゼンタの３つの階調値Ｘｂに置き換える。また、ブラックの階調値Ｘｂが「２」の場合には、階調値Ｘｂが「２」のイエロー、シアン、マゼンタの３つの階調値Ｘｂに置き換える。また、ブラックの階調値Ｘｂが「３」の場合には、階調値Ｘｂが「３」のイエロー、シアン、マゼンタの３つの階調値Ｘｂに置き換える。
【００４２】
一方、記録用紙Ｐの境界Ｂ１よりも内側の領域Ｒ１２に対応する画素については、閾値Ｗ１、Ｗ２、Ｗ３を、０＜Ｗ１＜Ｗ２＜Ｗ３＜２５５となるように決め、階調値Ｘａが０≦Ｘａ＜Ｗ１である場合に階調値Ｘｂを「０」とする。また、階調値ＸａがＷ１≦Ｘａ＜Ｗ２である場合に階調値Ｘｂを「１」とする。また、階調値ＸａがＷ２≦Ｘａ＜Ｗ３である場合に階調値Ｘｂを「２」とする。また、階調値ＸａがＷ３≦Ｘａ≦２５５である場合に階調値Ｘｂを「３」とする。
【００４３】
また、第１データ変換におけるディレイ時間の設定について説明すると、第１データ変換では、領域Ｒ１１に対応する画素に対しては、走査方向における外側の画素に対してほど長いディレイ時間を設定する。また、Ｒ１２に対応する画素に対しては、ディレイ時間を設定しない。すなわち、ディレイ時間を０とする。
【００４４】
（第２データ変換）
第２データ変換における階調値の変換について説明すると、第２データ変換では、図５（ｂ）に示すように、記録用紙Ｐの端から境界Ｂ２までの領域Ｒ２１に対応する画素については、階調値Ｘａが０≦Ｘａ＜Ｖ１である場合に階調値Ｘｂを「０」とする。また、階調値ＸａがＶ１≦Ｘａ＜Ｖ２である場合に階調値Ｘｂを「２」とする。また、階調値ＸａがＶ２≦Ｘａ≦２５５である場合に階調値Ｘｂを「３」とする。さらに、第１データ変換で行ったのと同様にして、ブラックの階調値Ｘｂを、イエロー、シアン、マゼンタ３つの階調値Ｘｂに置き換える。
【００４５】
一方、記録用紙Ｐの境界Ｂ２から境界Ｂ１までの領域Ｒ２２、及び、記録用紙Ｐの境界Ｂ１よりも内側の領域Ｒ２３に対応する画素については、階調値Ｘａが０≦Ｘａ＜Ｗ１である場合に階調値Ｘｂを「０」とする。また、階調値ＸａがＷ１≦Ｘａ＜Ｗ２である場合に階調値Ｘｂを「１」とする。また、階調値ＸａがＷ２≦Ｘａ＜Ｗ３である場合に階調値Ｘｂを「２」とする。また、階調値ＸａがＷ３≦Ｘａ≦２５５である場合に階調値Ｘｂを「３」とする。
【００４６】
また、第１データ変換におけるディレイ時間の設定について説明すると、第２データ変換では、Ｒ２１、Ｒ２２に対応する画素に対しては、走査方向における外側の画素に対してほど長いディレイ時間を設定し、Ｒ２３に対応する画素に対してはディレイ時間を設定しない。
【００４７】
（第３データ変換）
第３データ変換における階調値の変換について説明すると、第３データ変換では、図６（ａ）に示すように、記録用紙Ｐの端から境界Ｂ１までの領域Ｒ３１、及び、記録用紙Ｐの境界Ｂ１からＢ２までの領域Ｒ３２に対応する画素については、階調値Ｘａが０≦Ｘａ＜Ｖ１である場合に階調値Ｘｂを「０」とする。また、階調値ＸａがＶ１≦Ｘａ＜Ｖ２である場合に階調値Ｘｂを「２」とする。また、階調値ＸａがＶ２≦Ｘａ≦２５５である場合に階調値Ｘｂを「３」とする。さらに、第１データ変換で行ったのと同様にして、ブラックの階調値Ｘｂを、イエロー、シアン、マゼンタ３つの階調値Ｘｂに置き換える。
【００４８】
一方、記録用紙Ｐの境界Ｂ１よりも内側の境界領域Ｒ３３に対応する画素については、階調値Ｘａが０≦Ｘａ＜Ｗ１である場合に階調値Ｘｂを「０」とする。また、階調値ＸａがＷ１≦Ｘａ＜Ｗ２である場合に階調値Ｘｂを「１」とする。また、階調値ＸａがＷ２≦Ｘａ＜Ｗ３である場合に階調値Ｘｂを「２」とする。また、階調値ＸａがＷ３≦Ｘａ≦２５５である場合に階調値Ｘｂを「３」とする。
【００４９】
また、第３データ変換におけるディレイ時間の設定について説明すると、第３データ変換では、領域Ｒ３１に対応する画素に対しては、走査方向における外側の画素に対してほど長いディレイ時間を設定し、Ｒ３２、Ｒ３３に対応する画素に対してはディレイ時間を設定しない。
【００５０】
（第４データ変換）
第４データ変換における階調値の変換について説明すると、第４データ変換では、図６（ｂ）に示すように、記録用紙Ｐの端から境界Ｂ２までの領域Ｒ４１に対応する画素については、階調値Ｘａが０≦Ｘａ＜Ｖ１である場合に階調値Ｘｂを「０」とする。また、階調値ＸａがＶ１≦Ｘａ＜Ｖ２である場合に階調値Ｘｂを「２」とする。また、階調値ＸａがＶ２≦Ｘａ≦２５５である場合に階調値Ｘｂを「３」とする。さらに、第１データ変換で行ったのと同様にして、ブラックの階調値Ｘｂを、イエロー、シアン、マゼンタ３つの階調値Ｘｂに置き換える。
【００５１】
一方、記録用紙Ｐの境界Ｂ２よりも内側の境界領域Ｒ４２に対応する画素については、階調値Ｘａが０≦Ｘａ＜Ｗ１である場合に階調値Ｘｂを「０」とする。また、階調値ＸａがＷ１≦Ｘａ＜Ｗ２である場合に階調値Ｘｂを「１」とする。また、階調値ＸａがＷ２≦Ｘａ＜Ｗ３である場合に階調値Ｘｂを「２」とする。また、階調値ＸａがＷ３≦Ｘａ≦２５５である場合に階調値Ｘｂを「３」とする。
【００５２】
また、第４データ変換におけるディレイ時間の設定について説明すると、第４データ変換では、領域Ｒ４１、Ｒ４２のいずれに対応する画素に対してもディレイ時間を設定しない。
【００５３】
ここで、以上に説明した第１〜第４データ変換は、記録用紙Ｐのうち、縁領域Ｕ１の走査方向における内側に内側領域Ｕ２が配置された領域、すなわち、記録用紙Ｐの搬送方向における両端部を除いた領域に対応する画素についての階調値の変換、及び、ディレイ時間の設定の仕方である。
【００５４】
なお、記録用紙Ｐの搬送方向における両端部に対応する画素についての階調値の変換について説明すると、これらの画素については、全て、階調値Ｘａが０≦Ｘａ＜Ｖ１である場合に階調値Ｘｂを「０」とする。また、階調値ＸａがＶ１≦Ｘａ＜Ｖ２である場合に階調値Ｘｂを「２」とする。また、階調値ＸａがＶ２≦Ｘａ≦２５５である場合に階調値Ｘｂを「３」とする。さらに、第１データ変換で行ったのと同様にして、ブラックの階調値Ｘｂを、イエロー、シアン、マゼンタ３つの階調値Ｘｂに置き換える。
【００５５】
また、記録用紙Ｐの搬送方向における両端部に対応する画素についてのディレイ時間の設定について説明すると、これらの画素のうち、記録用紙Ｐの走査方向の端Ｅから境界Ｂ１までの領域に対応する画素に対しては、走査方向における外側の画素に対してほど長いディレイ時間を設定し、境界Ｂ１よりも走査方向の内側の領域に対応する画素に対してはディレイ時間を設定しない。
【００５６】
ここで、縁領域Ｕ１に画像の記録を行う場合には、内側領域Ｕ２に画像の記録を行う場合と比較して、噴射されたインクや、インクの噴射にとなって発生したミストが、プラテン２などに付着しやすい。また、プラテン２などにブラックの顔料インクが付着した場合は、カラーの染料インクが付着した場合と比較して、付着したインクが堆積しやすく、この後に画像が記録される記録用紙Ｐに堆積したインクが付着してしまうといった問題が発生しやすい。また、小玉は、中玉、大玉と比較して飛翔速度が遅いため、ノズル１０から小玉を噴射したときには、ノズル１０から中玉、大玉を噴射したときよりもミストが発生しやすい。
【００５７】
一方、本実施の形態では、記録用紙Ｐの領域Ｒ１１、Ｒ２１、Ｒ２２、Ｒ３１、Ｒ３２、Ｒ４１には縁領域Ｕ１が含まれるが、領域Ｒ１２、Ｒ２３、Ｒ３３、Ｒ４２には縁領域Ｕ１が含まれない。
【００５８】
これに対して、本実施の形態では、領域Ｒ１１、Ｒ２１、Ｒ２２、Ｒ３１、Ｒ３２、Ｒ４１への画像の記録に、ブラックの顔料インク及びカラーの染料インクのうち、カラーの染料インクのみが使用され得、ブラックの顔料インクが使用されることがない。一方、領域Ｒ１２、Ｒ２３、Ｒ３３、Ｒ４２への画像の記録に、ブラックの顔料インク及びカラーの染料インクのいずれもが使用され得る。これにより、領域Ｒ１１、Ｒ２１、Ｒ２２、Ｒ３１、Ｒ３２、Ｒ４１への画像の記録にブラックの顔料インクを使用する場合と比較して、プラテン２などにブラックの顔料インクを付着しにくくすることができる。
【００５９】
また、本実施の形態では、領域Ｒ１１、Ｒ２１、Ｒ２２、Ｒ３１、Ｒ３２、Ｒ４１への画像の記録には、大玉、中玉、小玉のうち、大玉、中玉のみが使用され得、小玉が使用されることはない。一方、Ｒ１２、Ｒ２３、Ｒ３３、Ｒ４２への画像の記録には、大玉、中玉、小玉のいずれもが使用され得る。これにより、領域Ｒ１１、Ｒ２１、Ｒ２２、Ｒ３１、Ｒ３２、Ｒ４１への画像の記録に小玉を使用する場合と比較して、縁領域Ｕ１への画像の記録を行う際にミストが発生しにくく、プラテン２などにインクを付着しにくくすることができる。
【００６０】
また、縁領域Ｕ１のうち、記録用紙Ｐの搬送方向の両端部に位置する部分の搬送方向の長さＬ２は、プラテン２などにインクを付着しにくくする観点から、インクジェットヘッド４とプラテン２との距離等に応じて決められる。そして、縁領域Ｕ１のうち、記録用紙Ｐの走査方向の両端部に位置する部分の走査方向の長さＬ１を、上記長さＬ２と同じ長さとすれば、プラテン２などにインクを付着しにくくすることができる。
【００６１】
＜記録された画像の対比＞
次に、プリンタ１で記録された画像について説明する。ここで、プリンタ１で記録された画像では、ブラックの顔料インクが着弾することによってドットが形成されたか、ブラックの顔料インクの代わりに、３色のカラーの染料インクが混ざったいわゆるコンポジットブラックのインクが着弾することによってドットが形成されたかによって、画質に違いが生じる。また、記録された画像が、大玉によって形成される大ドット、中玉によって形成される中ドット、小玉によって形成される小ドットのいずれをも含み得るか、大ドット、中ドットのみを含み得るかによっても、画質に違いが生じる。
【００６２】
また、キャリッジ３の加速又は減速中と、キャリッジ３の定速移動中とで、キャリッジ３の移動速度の違いから、噴射されるインクの飛翔方向に違いが生じる。インクの飛翔方向が異なると、記録用紙Ｐへのインクの入射角度が異なる。そのため、記録された画像は、キャリッジ３が加速又は減速しているときに噴射されたインクによってドットが形成されたか、キャリッジ３が定速で移動しているときに噴射されたインクによってドットが形成されたかによって画質に違いが生じる。
【００６３】
そして、加減速領域Ｔ１と定速領域Ｔ２との境界Ｂ１が、縁領域Ｕ１と内側領域Ｕ２との境界Ｂ２よりも走査方向の内側に位置している場合において、第１データ変換によって生成された記録用データに基づいてＳ１１０の画像の記録を行った場合には、図７（ａ）に示すように、領域Ｒ１１、Ｒ１２の２つの領域間でのみ、ブラックの顔料インク及びカラーの染料インクのいずれを使用可能とするか、大玉、中玉、小玉のいずれを使用可能とするか、キャリッジ３の加減速中及び定速移動中のいずれに噴射されたインクによってドットが形成されるかといった記録条件が異なる。したがって、この場合には、領域Ｒ１１と領域Ｒ１２との境界Ｂ１の１か所においてのみ、記録条件の違いによって画質が変化する。
【００６４】
一方、境界Ｂ１が境界Ｂ２よりも走査方向の内側に位置している場合において、第２データ変換によって生成された記録用データに基づいてＳ１１０の画像の記録を行った場合には、図７（ｂ）に示すように、領域Ｒ２１〜Ｒ２３の３つの領域間で、上記記録条件が異なる。したがって、この場合には、領域Ｒ２１と領域Ｒ２２との境界Ｂ１及び領域Ｒ２２とＲ２３との境界Ｂ２の２か所において、記録条件の違いによって画質が変化する。
【００６５】
したがって、第１データ変換によって生成された記録用データに基づいて記録された画像と、第２データ変換によって生成された記録用データに基づいて記録された画像とを比較すると、第１データ変換によって生成された記録用データに基づいて記録された画像の方が、画質が変化する箇所が少なく、記録条件の違いによる画質のムラが目立ちにくい。
【００６６】
また、光沢紙に記録される画像は、通常、写真等、普通紙に記録される画像と比較して、ドットの密度が高い。そのため、上記記録条件の違いによる画質のムラが目立ちやすい。そこで、本実施の形態では、境界Ｂ１が境界Ｂ２よりも走査方向の内側に位置し、且つ光沢紙に画像の記録を行う場合に、第１データ変換によって生成された記録用データに基づいて画像の記録を行っている。これにより、記録条件の違いによる画質のムラを極力目立ちにくくすることができる。
【００６７】
一方、普通紙に記録される画像は、光沢紙に記録される画像と比較して、ドットの密度が小さく、上記記録条件の違いによる画質のムラが目立ちにくい。そこで、本実施の形態では、境界Ｂ１が境界Ｂ２よりも走査方向の内側に位置する場合でも、普通紙に画像の記録を行う場合に、第２データ変換によって生成された記録用データに基づいて画像の記録を行っている。この場合には、上述の通り、境界Ｂ１、Ｂ２の２か所において、記録条件の違いによって画質が変化するが、ドットの密度が小さいため、記録条件の違いによる画質のムラは目立ちにくい。
【００６８】
また、境界Ｂ１が境界Ｂ２よりも走査方向の外側に位置している場合には、第３データ変換によって生成された記録用データに基づいて画像の記録を行っている。そして、この場合には、図７（ｃ）に示すように、領域Ｒ３１と領域Ｒ３２との境界Ｂ１、及び、領域Ｒ３２と領域Ｒ３３との境界Ｂ２の２か所において、記録条件の違いによって画質が変化する。しかしながら、縁領域Ｕ１の走査方向の長さＬ１が同じであれば、境界Ｂ１が境界Ｂ２よりも外側に位置している場合には、境界Ｂ１が境界Ｂ２よりも内側に位置している場合よりも、走査方向の外側の領域において画質の変化が生じることになり、境界Ｂ１、Ｂ２の２か所において記録条件の違いによって画質の変化が生じていても、画質のムラは目立ちにくい。
【００６９】
また、加減速領域Ｔ１が存在しない場合には、第４データ変換によって生成された記録用データに基づいて画像の記録を行っている。そして、この場合には、図７（ｄ）に示すように、領域Ｒ４１と領域Ｒ４２との境界Ｂ２の１か所においてのみ、記録条件の違いによって画質が変化する。したがって、２か所において記録条件の違いによって画質が変動する場合と比較して、画質のムラは目立ちにくい。
【００７０】
なお、本実施の形態では、加減速領域Ｔ１が本発明の「加速領域」及び「減速領域」に相当する。また、境界Ｂ１が本発明の「第１境界」に相当し、境界Ｂ２が本発明の「第２境界」に相当する。また、大玉、中玉が、本発明の「大インク滴」に相当し、小玉が本発明の「小インク滴」に相当する。
【００７１】
また、領域Ｒ１１、Ｒ２１、Ｒ３１に画像の記録を行うときの記録条件、すなわち、ブラックの顔料インク及びカラーの染料インクのうちカラーの染料インクのみを使用可能とするとともに、大玉、中玉、小玉のうち、大玉、中玉のみを使用可能とし、加減速中にノズル１０からインクを噴射するという記録条件が、本発明の「第１記録条件」に相当する。
【００７２】
また、領域Ｒ１２、Ｒ２３、Ｒ３３、Ｒ４２に画像の記録を行うときの記録条件、すなわち、ブラックの顔料インク及びカラーの染料インクのいずれをも使用可能とするとともに、大玉、中玉、小玉のいずれをも使用可能とし、定速移動中にノズル１０からインクを噴射するという記録条件が、本発明の「第２記録条件」に相当する。
【００７３】
また、領域Ｒ３２、Ｒ４１に画像の記録を行うときの記録条件、すなわち、ブラックの顔料インク及びカラーの染料インクのうちカラーの染料インクのみを使用可能とするとともに、大玉、中玉、小玉のうち、大玉、中玉のみを使用可能とし、定速移動中にノズル１０からインクを噴射するという記録条件が、本発明の「第３記録条件」に相当する。
【００７４】
また、領域Ｒ２２に画像の記録を行うときの記録条件、すなわち、ブラックの顔料インク及びカラーの染料インクのいずれをも使用可能とするとともに、大玉、中玉、小玉のいずれをも使用可能とし、加減速中にノズル１０からインクを噴射するという記録条件が、本発明の「第４記録条件」に相当する。
【００７５】
次に、本実施の形態に種々の変更を加えた変形例について説明する。
【００７６】
上述の実施の形態では、Ｓ１０５において、記録用紙Ｐが光沢紙であるか普通紙であるかを判定したが、これには限られない。たとえば、Ｓ１０５において、例えば７５％以上など、比較的高い第１印字デューティで画像の記録が行われるか、第１印字デューティよりも低い第２印字デューティで画像の記録が行われるかを判定してもよい。第１印字デューティで記録された画像は、第２印字デューティで記録された画像よりも、ドットの密度が高く、記録条件の違いによる画質のムラが目立ちやすい。したがって、第１印字デューティで画像の記録を行う場合には、第１データ変換によって生成された記録用データに基づいて画像の記録を行う。一方、第２印字デューティで画像の記録を行う場合には、第２データ変換によって生成された記録用データに基づいて画像の記録を行う。これにより、記録される画像の記録条件の違いによる画質のムラを目立ちにくくすることができる。
【００７７】
また、上述の実施の形態では、境界Ｂ１が境界Ｂ２よりも走査方向の内側に位置している場合において、記録用紙Ｐが光沢紙である場合には第１データ変換によって記録指令データを記録用データに変換し、記録用紙Ｐか普通紙である場合には第２データ変換によって記録指令データを記録用データに変換したが、これには限られない。例えば、境界Ｂ１が境界Ｂ２よりも走査方向の内側に位置している場合において、記録用紙Ｐの種類に関わらず、第１データ変換によって記録指令データを記録用データに変換してもよい。
【００７８】
また、上述の実施の形態では、縁領域Ｕ１への画像の記録を行う際に、ブラックの顔料インク及びカラーの染料インクのうち、カラーの染料インクのみを使用可能とするとともに、大玉、中玉、小玉のうち、大玉、中玉のみを使用可能としたが、これには限られない。縁領域Ｕ１への画像の記録を行う際に、ブラックの顔料インク及びカラーの染料インクのうち、カラーの染料インクのみを使用可能とするとともに、大玉、中玉、小玉のいずれをも使用可能としてもよい。あるいは、縁領域Ｕ１への画像の記録を行う際に、ブラックの顔料インク及びカラーの染料インクのいずれをも使用可能とするとともに、大玉、中玉、小玉のうち、大玉、中玉のみを使用可能としてもよい。
【００７９】
また、上述の実施の形態では、記録条件が、ブラックの顔料インク及びカラーの染料インクのうちいずれを使用可能とするか、大玉、中玉、小玉のうちいずれを使用可能とするか、キャリッジ３の加減速中及び定速移動中のいずれに噴射されたインクによってドットが形成されるかの条件であったが、これには限られない。記録条件は、記録される画像の画質に影響を与える別の条件であってもよい。
【００８０】
例えば、インクジェットヘッド４が、ブラックの顔料インクとブラックの染料インクの両方を噴射可能なものである場合に、縁領域Ｕ１への記録を行う際の記録条件が、ブラックの顔料インク及び染料インクのうち染料インクのみを使用可能とし、且つ、ブラックの顔料インクの代わりにブラックの染料インクを噴射するという記録条件を含んでいてもよい。
【００８１】
また、インクジェットヘッド４がカラーの染料インクとカラーの顔料インクの両方を噴射可能なものである場合に、縁領域Ｕ１への記録を行う際の記録条件が、カラーの顔料インク及び染料インクのうち染料インクのみを使用可能とし、且つ、カラーの顔料インクを噴射する代わりに、同色の染料インクを噴射するという記録条件を含んでいてもよい。
【００８２】
すなわち、インクジェットヘッド４が、同色の顔料インクと染料インクの両方を噴射可能な場合において、第２の記録条件が、当該色の顔料インク及び染料インクの両方を使用可能とするという条件を含み、第１の記録条件が、当該色の顔料インクと染料インクのうち染料インクのみを使用可能とし、且つ、当該色の顔料インクを噴射する代わりに、当該色の染料インクを噴射するという条件を含んでいてもよい。
【００８３】
また、インクジェットヘッド４が、各ノズル１０から体積の異なる２種類又は４種類以上のインク滴のいずれかを選択的に噴射可能なものである場合に、縁領域Ｕ１への記録を行う際の記録条件が、最も体積の小さいインク滴以外のインク滴のみを使用可能とするという記録条件を含んでいてもよい。また、インクジェットヘッド４が、各ノズル１０から体積の異なる３種類以上のインク滴のいずれかを選択的に噴射可能なものである場合に、縁領域Ｕ１への記録を行う際の記録条件が、例えば、最も体積の小さいインク滴と２番目に体積の小さいインク滴以外のインク滴のみを使用可能にするするなど、他のインク滴よりも体積の小さい複数種類のインク滴以外のインク滴のみを使用可能とするという記録条件を含んでいてもよい。
【００８４】
すなわち、インクジェットヘッド４が、各ノズル１０から体積の異なる複数種類のインク滴のいずれかを選択的に噴射可能なものである場合には、第２の記録条件が、これら複数種類のインク滴のいずれをも使用可能とするという条件を含み、第１の記録条件が、これら複数種類のインク滴のうち、他のインク滴よりも体積の小さい少なくとも１種類のインク滴以外のインク滴のみを使用可能とするという記録条件を含んでいてもよい。
【００８５】
また、上述の実施の形態では、記録用紙Ｐが加減速領域Ｔ１と定速領域Ｔ２両方を有している場合の、縁領域Ｕ１の走査方向の両側に位置する部分の走査方向の長さＬ１が、縁領域Ｕ１の搬送方向の両側に位置する部分の搬送方向の長さＬ２と同じであったが、これには限られない。長さＬ１は長さＬ２と異なっていてもよい。この場合には、例えば、長さＬ１を、図６（ｂ）に示す、記録用紙Ｐに加減速領域Ｔ１が存在しない場合の縁領域Ｕ１の走査方向の長さＬ３と同じ長さとしてもよい。
【００８６】
加減速領域Ｔ１が存在しない記録用紙Ｐに縁なし印刷を行うことについては、例えば、上述の特許文献１などにも記載されているように公知のものであり、この場合には、プラテン２などにインクを付着しにくくする観点から、縁領域Ｕ１の走査方向の長さＬ３が適宜決定される。そして、加減速領域Ｔ１と定速領域Ｔ２の両方が存在している場合の縁領域Ｕ１の長さＬ１を上記長さＬ３と同じ長さとすれば、プラテン２などにインクを付着しにくくすることができる。
【００８７】
また、上述の実施の形態では、プリンタ１において画像の記録を行うときに、Ｓ１０３、Ｓ１０４において、記録用紙Ｐに加減速領域Ｔ１が存在するか否か、及び、境界Ｂ１が境界Ｂ２よりも走査方向の内側に位置するか否かを判定したが、これには限られない。例えば、プリンタ１において画像の記録を行う場合に、記録用紙Ｐのサイズなどによらず、常に、加減速領域Ｔ１が存在するような場合には、Ｓ１０３の判定及びＳ１０９の第４データ変換は不要である。また、プリンタ１において画像の記録を行う場合に、記録用紙Ｐのサイズなどによらず、常に、境界Ｂ１が境界Ｂ２よりも走査方向の内側に位置するような場合には、Ｓ１０４の判定及び第３データ変換は不要である。
【００８８】
また、以上では、記録用紙Ｐの走査方向における両端部に加減速領域Ｔ１が設けられる場合について説明したが、これには限られない。記録用紙Ｐの走査方向における片側の端部にのみ加減速領域Ｔ１が設けられていてもよい。
【００８９】
また、以上では、キャリッジ３の加速中及び減速中の両方において、ノズル１０からインクを噴射する場合について説明したが、これには限られない。例えば、上述したように、記録用紙Ｐの走査方向における片側の端部にのみ加減速領域Ｔ１が設けられている場合などに、キャリッジ３の加速中及び減速中のうち、加速中にのみ、あるいは、減速中にのみ、ノズル１０からインクを噴射するようにしてもよい。
【００９０】
また、記録指令データを記録データに変換するための処理は、上述したものには限られない。例えば、記録指令データにおける各画素の２５６段階の階調値を、記録データにおける各画素の４段階の階調値に変換するハーフトーン処理は、例えばディザ法、誤差拡散法等、公知の別の画像処理方法を用いて行ってもよい。
【００９１】
また、上述の実施の形態では、ＰＣなどからプリンタ１に記録指令データが入力され、プリンタ１において、記録指令データを記録データに変換し、記録データに基づいて画像の記録を行ったがこれには限られない。例えば、ＰＣなどにおいて、Ｓ１０６〜Ｓ１０９のデータ変換と同様の処理が行われ、プリンタ１に上記処理後のデータが入力され、プリンタ１において、上記処理後のデータに基づいて画像の記録が行われるようになっていてもよい。
【符号の説明】
【００９２】
１  プリンタ
３  キャリッジ
４  インクジェットヘッド
１０  ノズル
５０  制御装置
Ｂ１、Ｂ２  境界
Ｔ１  加減速領域
Ｔ２  定速領域
Ｕ１  縁領域
Ｕ２  内側領域
Ｒ１１、Ｒ１２、Ｒ２１〜Ｒ２３、Ｒ３１〜Ｒ３３、Ｒ４１、Ｒ４２  領域
【図１】
2015193147.tif 000003
【図２】
2015193147.tif 000004
【図３】
2015193147.tif 000005
【図４】
2015193147.tif 000006
【図５】
2015193147.tif 000007
【図６】
2015193147.tif 000008
【図７】
2015193147.tif 000009